(57)【特許請求の範囲】
【請求項１】
取付基盤の前側に設けられた複数の入賞部と、
前記取付基盤の裏側に設けられたコネクタ基板とを備え、
前記入賞部のそれぞれに対応して設けられた球検出器が、別々の被覆電線で前記コネクタ基板に接続された遊技機の複合入賞部品において、
前記入賞部の間における前記取付基盤の裏面には、当該取付基盤から裏側に突出し、前記取付基盤の上下方向に延長する複数の突部が並列に設けられ、
前記複数の突部は、一個の球よりも狭い間隔となるように互いに離れて設けられ、前記複合入賞部品よりも上部に位置する入賞部品からの球を排出する通路として構成され、
各突部には、前記被覆電線を挿入するための配線通路部が、前記突部の裏面から前記取付基盤の側に窪む溝として設けられ、
各配線通路部の位置が、上下方向で互いに異なることを特徴とするパチンコ遊技機の複合入賞部品。
【発明の詳細な説明】
【技術分野】
【０００１】
本発明は、複数の球検出器の被覆電線が複数の入賞部から排出されるパチンコ球と呼ばれる球に干渉しない構造となるパチンコ遊技機の複合入賞部品に関する。
【背景技術】
【０００２】
パチンコ遊技機の複合入賞部品は、可変入賞部や一般入賞部など複数の入賞部が単一の取付基盤に設けられ、駆動源や複数の入賞部に個別に設けられた複数の球検出器など複数の電気部品が取付基盤の裏側に設けられたコネクタ基板に被覆電線で集合的に配線されている。しかしながら、被覆電線が入賞部品における上方に開口した溝として形成された球通路部の上方を跨ぐ格好に処理された構造であるので、複合入賞部品が遊技盤に取り付けられ、遊技中の振動などによって、被覆電線が球の通り道に垂れ下がり、通り道を通過する球が垂れ下がった被覆電線に接触したり衝突したりするように被覆電線に干渉し、被覆電線から電気的に出力された球検出信号に電気的なノイズを生じるという欠点があった。
【特許文献１】特公平７−１１４８４４号公報
【特許文献２】特開平５−１６１７４５号公報
【特許文献３】特開２００４−１４１２２０号公報
【発明の開示】
【発明が解決しようとする課題】
【０００３】
発明が解決しようとする問題点は、被覆電線が入賞部の球通路を通過する球に干渉するという点である。
【課題を解決するための手段】
【０００４】
本発明に係るパチンコ遊技機の複合入賞部品は、取付基盤の前側に設けられた複数の入賞部と、取付基盤の裏側に設けられたコネクタ基板とを備え、入賞部のそれぞれに対応して設けられた球検出器が、別々の被覆電線でコネクタ基板に接続された遊技機の複合入賞部品において、入賞部の間における取付基盤の裏面には、当該取付基盤から裏側に突出し、取付基盤の上下方向に延長する複数の突部が並列に設けられ、複数の突部は、一個の球よりも狭い間隔となるように離れて設けられ、複合入賞部品よりも上部に位置する入賞部品からの球を排出する通路として構成され、突部には、被覆電線を挿入するための配線通路部が、突部の裏面から取付基盤の側に窪む溝として設けられ、各配線通路部の位置が、上下方向で互いに異なることを最も主要な特徴とする。
【発明の効果】
【０００５】
本発明に係るパチンコ遊技機の可変入賞部品は、球検出器とコネクタ基板とを繋ぐ被覆電線が突部の裏側から配線通路部に挿入され、被覆電線が入賞部における球の通り道を通過する球と干渉しないので、被覆電線から電気的に出力された球検出信号が電気的なノイズを含むことなく制御装置に供給されるという利点がある。
【発明を実施するための最良の形態】
【０００６】
図１乃至図４は、発明を実施するための最良の形態である。図１は、複合入賞部品１の背面を示す。図２は、複合入賞部品１の平面を示す。図３は、複合入賞部品１を前側から示す。図４は、取付基盤２から端子ユニット６、駆動機構１１、左一般球出口部２３、右一般球出口部２６を分解した複合入賞部品１を裏側から示す。本明細書において、「前」、「後」、「裏」、「左」、「右」、「上」、「下」の方向は、図３の状態に複合入賞部品１および遊技盤３１を置いて矢印Ａで示す前側から見た場合に特定される方向である。「後」と「裏」とは同じ方向である。
【０００７】
図１および図２を参照し、複合入賞部品１の主要な構造について説明する。複合入賞部品１は、単一に形成された取付基盤２の前側に複数の入賞部３；４；５を備え、取付基盤の裏側にコネクタ基板２７を備え、左可変球検出器１２、右可変球検出器１３、電磁ソレノイド１６（図３参照）、左一般球検出器２２、右一般球検出器２５など複数の電気部品が、別々の被覆電線４４；５４；６３；６５および引出線６７で、コネクタ基板２７に集合的に配線されている。そして、特に、図１に示すように、被覆電線４４の一端部が左一般球検出器２２の取付基盤２の側に位置する前端部に接続され、被覆電線４４の他端部がコネクタ基板２７に接続され、この左一般球検出器２２とコネクタ基板２７とを繋ぐ被覆電線４４が突部４３の裏側から左配線通路部４１に挿入され、被覆電線５４の一端部が右一般球検出器２５の取付基盤２の側に位置する前端部に接続され、被覆電線５４の他端部がコネクタ基板２７に接続され、この右一般球検出器２５とコネクタ基板２７とを繋ぐ被覆電線５４が突部５３の裏側から右配線通路部４２に挿入された構造である。よって、複合入賞部品１が遊技盤３１に取り付けられ、遊技中の振動などによって、被覆電線４４；５４の中間部が、入賞部３乃至５における球の通り道に向けて下方に垂れ下がることがなく、当該通り道を通過する球が被覆電線４４；５４の中間部に干渉するという不都合が解消でき、被覆電線４４；５４から電気的に出力された球検出信号が電気的なノイズを含むことなく図外の制御装置に供給されるという利点がある。
【０００８】
図３を参照し、複合入賞部品１の構造について説明する。複合入賞部品１は、取付基盤２の前側に複数の入賞部３；４；５を備え、取付基盤２の裏側に端子ユニット６を備える。中央の入賞部３は、入賞口が開閉する可変球入口部を備えるので、以下、可変入賞部３と称する。左の入賞部４は、入賞口が開閉しない不変球入口部を備えるので、以下、左一般入賞部４と称する。右の入賞部５は、入賞口が開閉しない不変球入口部を備えるので、以下、右一般入賞部５と称する。
【０００９】
可変入賞部３は、左可変球入口部７、右可変球入口部８、左開閉体９、右開閉体１０、駆動機構１１、左可変球検出器１２、右可変球検出器１３、左可変球出口部１４、右可変球出口部１５を備える。駆動機構１１は、電磁ソレノイド１６によって左開閉体９および右開閉体１０を開閉する機構であって、取付基盤２の裏側からタッピングスクリューのような止ねじで取付基盤２の裏面に取り付けられる。
【００１０】
電磁ソレノイド１６への電力供給が遮断されていると、ばねが電磁ソレノイド１６の出力部材としてのプランジャを前側に押し出すことによって、左開閉体９が左開閉軸１７を中心として実線で示すように左可変球入口部７を閉じ、右開閉体１０が右開閉軸１８を中心として実線で示すように右可変球入口部８を閉じる。左可変球入口部７が左開閉体９で閉じられ、右可変球入口部８が右開閉体１０で閉じられた状態において、電力が電磁ソレノイド１６に供給されると、電磁ソレノイド１６が図外のばねのばね力に抗しプランジャを磁力で後側に吸引することによって、左開閉体９が左開閉軸１７を中心として仮想線で示すように左上方に向けて回転して左可変球入口部７を開き、右開閉体１０が右開閉軸１８を中心として仮想線で示すように左上方に向けて回転して右可変球入口部８を開く。つまり、可変入賞部３は、左開閉体９および右開閉体１０が駆動機構１１で左可変球入口部７および右可変球入口部８を開くことによって球を取り込むことが可能となり、左開閉体９および右開閉体１０が駆動機構１１で左可変球入口部７および右可変球入口部８を閉じることによって球を取り込むことが不能となる。左可変球入口部７と右可変球入口部８との間には、左可変球入口部７および右可変球入口部８を互いに左右に分ける隔壁１９が、上に凸なる弧状に存在する。
【００１１】
左一般入賞部４は、左一般球入口部２１、左一般球検出器２２、左一般球出口部２３を備える。右一般入賞部５は、右一般球入口部２４、右一般球検出器２５、右一般球出口部２６を備える。左一般球入口部２１および右一般球入口部２４は、開いたり閉じたりしない、ポケット形と呼ばれる不変な定形に構成される。端子ユニット６は、コネクタ基板２７を備える。コネクタ基板２７には、左可変球検出器１２、右可変球検出器１３、電磁ソレノイド１６、左一般球検出器２２、右一般球検出器２５など複数の電気部品が、別々の被覆電線４４；５４；６３；６５および引出線６７で集合的に配線される。取付基盤２には、ねじ挿入孔２８が設けられる。ねじ挿入孔２８は、取付基盤２を遊技盤３１に取り付けるための取付部を構成する。被覆電線４４；５４；６３；６５および引出線６７の詳細は、図４で後述する。
【００１２】
前記のように構成された複合入賞部品１は、遊技盤３１に、次のように取り付けられる。取付基盤２の裏側に突出した駆動機構１１や端子ユニット６などの部品が、遊技盤３１の前側から遊技盤３１の遊技領域３２に前後方向への貫通孔として形成された逃孔３３に挿入され、取付基盤２が逃孔３３を前側から覆い隠し、木ねじからなる固定具としての止ねじ３５が取付基盤２のねじ挿入孔２８から遊技盤３１に締結されると、複合入賞部品１が遊技領域３２に取り付けられる。
【００１３】
図４を参照し、複合入賞部品１の配線構造について説明する。取付基盤２の裏面には、左配線通路部４１が左可変球入口部７と左一般球入口部２１との間に位置して設けられ、右配線通路部４２が右可変球入口部８と右一般球入口部２４との間に位置して設けられる。具体的には、左可変球入口部７と左一般球入口部２１との間における取付基盤２の裏面には、突部４３が、取付基盤２の裏面から裏側に突出する。つまり、突部４３は、取付基盤２に一体成形で一体的に設けられる。突部４３は、例えば３個であって、左右方向に離れて互いに平行に配置された板状である。突部４３の個数は３個に限定されるものではなく、１個、２個、４個以上であってもよい。そして、突部４３は、複合入賞部よりも上部に位置して遊技盤３１（図３参照）に取り付けられた図外の入賞部品に入賞して当該入賞部品から遊技盤３１の裏側に排出された球の通路の一部を構成する。よって、複数の突部４３相互の間隔は一個の球の間隔よりも小さく、複数の突部４３の間には球が入らない。突部４３には、左配線通路部４１が、突部４３の裏面、左面、右面に開口し、突部４３の裏面から取付基盤２の裏面に到達する溝として構成される。中間の突部４３に設けられた左配線通路部４１が左右の突部４３に設けられた左配線通路部４１よりも下部に位置するというように、中間の突部４３に設けられた左配線通路部４１の位置と左右の突部４３に設けられた左配線通路部４１の位置とが上下方向に異なる。
【００１４】
左一般球検出器２２は、取付基盤２の側に位置する前端部に図外のコネクタを備える。この左一般球検出器２２のコネクタには、被覆電線４４における電線の一端部に結線された図外のコネクタが機械的に嵌め込まれて電気的に接続される。このように被覆電線４４の一端部が左一般球検出器２２の前端部にコネクタを介して接続された状態において、左一般球検出器２２の前端部が、左一般球入口部２１に設けられた検出収容部４５に左一般球入口部２１の裏側から挿入される。また、被覆電線４４における電線の他端部には、コネクタ４６が結線される。被覆電線４４における左一般球検出器２２の前端部とコネクタ４６との間の部分が、左右方向に直線的に延ばされた態様のまま、突部４３の裏側から左配線通路部４１に挿入されて取付基盤２の裏面に接触させられる。これによって、左一般球検出器２２に対する被覆電線４４が左配線通路部４１に挿入された場合に、被覆電線４４が上下に蛇行して左配線通路部４１から裏側に抜けにくくなる。
【００１５】
左一般球検出器２２の後端部には、左一般球入口部２１を通過する球を通過させる球検出孔４７が上下方向への貫通孔として設けられる。上記のように左一般球検出器２２の前端部が検出収容部４５に挿入された場合、左一般球検出器２２の後端部は、検出収容部４５よりも裏側に突出する。左一般球検出器２２に対する被覆電線４４が左配線通路部４１に挿入された後、左一般球出口部２３が左一般球検出器２２の後端部を覆うように左一般球検出器２２の裏側から左一般球入口部２１の裏面に被せられる。そして、タッピングスクリューのような止ねじ４８が左一般球出口部２３の左右に設けられた取付部４９に形成されたねじ挿入孔５０を経由して左一般球入口部２１の裏面の左右に設けられた結合孔５１に締結されることによって、左一般球出口部２３が左一般球入口部２１の裏側に固定される。これによって、左一般球検出器２２が、取付基盤２、検出収容部４５、左一般球出口部２３で囲まれ、取付基盤２に支持されて左一般球出口部２３から脱落しない。そして、左一般球入口部２１を通過する球は、左一般球入口部２１から左一般球出口部２３に取り込まれて球検出孔４７へと誘導される。球検出孔４７を上方から下方に通過した球は、左一般球出口部２３の底部に形成された排出口５２から下方に排出される。左一般球検出器２２は、左一般球検出器２２に内蔵された検出用電気部品に被覆電線４４から動作電力が供給されている状態において、電気部品が球検出孔４７を通過する球を電気的に検出して信号を被覆電線４４に出力する。
【００１６】
右可変球入口部８と右一般球入口部２４との間における取付基盤２の裏面には、突部５３が、取付基盤２の裏面から裏側に突出する。つまり、突部５３は、取付基盤２０に一体成形で一体的に設けられる。突部５３は、例えば３個であって、左右方向に離れて互いに平行に配置された板状である。突部５３の個数は３個に限定されるものではなく、１個、２個、４個以上であってもよい。そして、突部５３は、複合入賞部よりも上部に位置して遊技盤３１（図３参照）に取り付けられた図外の入賞部品に入賞して当該入賞部品から遊技盤３１の裏側に排出された球の通路の一部を構成する。よって、複数の突部５３相互の間隔は一個の球の間隔よりも小さく、複数の突部５３の間には球が入らない。突部５３には、右配線通路部４２が、突部５３の裏面、左面、右面に開口し、突部５３の裏面から取付基盤２の裏面に到達する溝として構成される。中間の突部５３に設けられた右配線通路部４２が左右の突部５３に設けられた右配線通路部４２よりも下部に位置するというように、中間の突部５３に設けられた右配線通路部４２の位置と左右の突部５３に設けられた右配線通路部４２の位置とが上下方向に異なる。これによって、右一般球検出器２５に対する被覆電線５４が右配線通路部４２に挿入された場合に、被覆電線５４が上下に蛇行して右配線通路部４２から裏側に抜けにくくなる。
【００１７】
右一般球検出器２５は、取付基盤２の側に位置する前端部に図外のコネクタを備える。この右一般球検出器２５のコネクタには、被覆電線５４における被覆電線の一端部に結線された図外のコネクタが機械的に嵌め込まれて電気的に接続される。このように被覆電線５４の一端部が右一般球検出器２５の前端部にコネクタを介して接続された状態において、右一般球検出器２５の前端部が、右一般球入口部２４に設けられた検出収容部５５に右一般球入口部２４の裏側から挿入される。また、被覆電線５４における被覆電線の他端部には、コネクタ５６が結線される。被覆電線５４における右一般球検出器２５の前端部とコネクタ５６との間の部分が、左右方向に直線的に延ばされた態様のまま、突部５３の裏側から右配線通路部４２に挿入されて取付基盤２の裏面に接触させられる。これによって、右一般球検出器２５に対する被覆電線５４が右配線通路部４２に挿入された場合に、被覆電線５４が上下に蛇行して右配線通路部４２から裏側に抜けにくくなる。
【００１８】
右一般球検出器２５の後端部には、右一般球入口部２４を通過する球を通過させる球検出孔５７が上下方向への貫通孔として設けられる。上記のように右一般球検出器２５の前端部が検出収容部５５に挿入された場合、右一般球検出器２５の後端部は、検出収容部５５よりも裏側に突出する。右一般球検出器２５に対する被覆電線５４が右配線通路部４２に挿入された後、右一般球出口部２６が右一般球検出器２５の後端部を覆うように右一般球検出器２５の裏側から右一般球入口部２４の裏面に被せられる。そして、タッピングスクリューのような止ねじ５８が右一般球出口部２６の左右に設けられた取付部５９に形成されたねじ挿入孔６０を経由して右一般球入口部２４の裏面の左右に設けられた結合孔６１に締結されることによって、右一般球出口部２６が右一般球入口部２４の裏側に固定される。これによって、右一般球検出器２５が、取付基盤２、検出収容部５５、右一般球出口部２６で囲まれ、取付基盤２に支持されて右一般球出口部２６から脱落しない。そして、右一般球入口部２４を通過する球は、右一般球入口部２４から右一般球出口部２６に取り込まれて球検出孔５７へと誘導される。球検出孔５７を上方から下方に通過した球は、右一般球出口部２６の底部に形成された排出口６２から下方に排出される。右一般球検出器２５は、右一般球検出器２５に内蔵された検出用電気部品に被覆電線５４から動作電力が供給されている状態において、電気部品が球検出孔５７を通過する球を電気的に検出して信号を被覆電線５４に出力する。
【００１９】
左可変球検出器１２は、取付基盤２の裏側に突出する後端部に図外のコネクタを備える。この左可変球検出器１２のコネクタには、被覆電線６３における被覆電線の一端部に結線された図外のコネクタが機械的に嵌め込まれて電気的に接続される。被覆電線６３における被覆電線の他端部には、コネクタ６４が結線される。左可変球検出器１２は、左可変球検出器１２に内蔵された検出用電気部品に被覆電線６３から動作電力が供給されている状態において、電気部品が左可変球検出器１２の球検出孔８１（図２参照）を通過する球を電気的に検出して信号を被覆電線６３に出力する。右可変球検出器１３は、取付基盤２の裏側に突出する後端部に図外のコネクタを備える。この右可変球検出器１３のコネクタには、被覆電線６５における被覆電線の一端部に結線された図外のコネクタが機械的に嵌め込まれて電気的に接続される。被覆電線６５における被覆電線の他端部には、コネクタ６６が結線される。右可変球検出器１３は、右可変球検出器１３に内蔵された検出用電気部品に被覆電線６５から動作電力が供給されている状態において、電気部品が右可変球検出器１３の球検出孔８２（図２参照）を通過する球を電気的に検出して信号を被覆電線６５に出力する。電磁ソレノイド１６の励磁コイルから延設された被覆電線からなる引出線６７の被覆電線の端部には、コネクタ６８が結線される。
【００２０】
コネクタ基板２７は、端子ユニット６におけるユニット容器７１の裏側からユニット容器７１の内部に格納させることによって、受止部７２と弾性係合部７３で前後方向から挟まれ、ユニット容器７１の内部に固定される。コネクタ基板２７の裏側における板面には、コネクタ７４；７５；７６；７７；７８；７９が実装される。コネクタ７４は、コネクタ７５乃至７９に、コネクタ基板２７を構成する回路基板における薄状の導電体で個別に接続される。コネクタ７４は、コネクタ基板２７の左右方向の中央に配置される。コネクタ７５；７６は、コネクタ基板２７の左側部に配置される。コネクタ７７乃至７９は、コネクタ基板２７の右側部に配置される。コネクタ７４には、制御装置の入出力部に接続された被覆電線の被覆電線に結線された図外のコネクタが嵌め込まれる。コネクタ７５には、コネクタ６４が機械的に嵌め込まれて電気的に接続されることによって、左可変球検出器１２に内蔵された検出用電気部品が接続される。コネクタ７６には、コネクタ４６が機械的に嵌め込まれて電気的に接続されることによって、左一般球検出器２２に内蔵された検出用電気部品が接続される。コネクタ７７には、コネクタ６８が機械的に嵌め込まれて電気的に接続されることによって、電磁ソレノイド１６の励磁コイルが接続される。コネクタ７８には、コネクタ６６が機械的に嵌め込まれて電気的に接続されることによって、右可変球検出器１３に内蔵された検出用電気部品が接続される。コネクタ７９には、コネクタ５６が機械的に嵌め込まれて電気的に接続されることによって、右一般球検出器２５に内蔵された検出用電気部品が接続される。これによって、左可変球検出器１２、右可変球検出器１３、左一般球検出器２２、右一般球検出器２５からの検出信号が図外の制御装置に入力され、当該制御装置から電磁ソレノイド１６に電力が供給されたり遮断されたりする。
【産業上の利用可能性】
【００２１】
複数の入賞部３乃至５は、３個に限定されるものではなく、２個、４個以上であってよく、可変入賞部３、左一般入賞部４、右一般入賞部５以外の組み合わせ、例えば、複数の入賞部３乃至５の全部が不変球入口を備えた構造、複数の入賞部３乃至５の全部が可変球入口を備えた構造であってもよい。可変入賞部３は、左開閉体９および右開閉体１０に代わる単一の開閉体が当該開閉体の下部を中心として前後方向に開閉する構造、左開閉体９および右開閉体１０に代わる単一の開閉体が上方に開口した箱形であって、当該箱形の単一の開閉体が取付基盤２から前側に引き出されたり取付基盤２に閉じられたりするように前後方向に直線的に開閉する構造であってもよい。左配線通路部４１、右配線通路部４２が、突部４３；５３の裏面から取付基盤２の裏面に到達しないで取付基盤２の側に窪む溝であってもよいが、最良の形態のように、左配線通路部４１、右配線通路部４２が、突部４３；５３の裏面から取付基盤２の裏面に到達すれば、左配線通路部４１、右配線通路部４２の被覆電線４４；５４を取り込む深さが深く、被覆電線４４；５４が左配線通路部４１、右配線通路部４２から裏側に抜けにくくなるという利点がある。
【図面の簡単な説明】
【００２２】
【図１】複合入賞部品の背面図（最良の形態）。
【図２】複合入賞部品の平面図（最良の形態）。
【図３】複合入賞部品の斜視図（最良の形態）。
【図４】複合入賞部品の裏側からの分解斜視図（最良の形態）。
【符号の説明】
【００２３】
１    複合入賞部品
２    取付基盤
３    可変入賞部
４    左一般入賞部
５    右一般入賞部
２２  左一般球検出器
２５  右一般球検出器
２７  コネクタ基板
４１  左配線通路部
４２  右配線通路部
４４  被覆電線
５４  被覆電線
【図１】
0004817731.tif 000002
【図２】
0004817731.tif 000003
【図３】
0004817731.tif 000004
【図４】
0004817731.tif 000005